(57)【要約】【課題】交換コストや製造コストを低減することのできる台板を提供すること。また、台板に設けられる一般入賞口や通過チャッカーの装飾効果を高めること。台板に設けられる一般入賞口等のメンテナンスを容易とすること。【解決手段】大入賞口装置１０の装置本体１８を遊技盤に取り付けるために遊技盤の正面側に露呈されて遊技盤に固定される台板本体３２と、一般入賞口装置３４とを備えたパチンコ機の大入賞口装置１０の台板３０において、台板本体３２と、一般入賞口装置３４とを、別体に形成した。また、台板本体３２の正面側をほぼ平面形状に形成した。【選択図】    図３
2004173811.tif 000002
【特許請求の範囲】
【請求項１】
大入賞口装置の装置本体を遊技盤に取り付けるために遊技盤の正面側に露呈されて遊技盤に固定される台板本体と、一般入賞口又は通過チャッカーとを備えたパチンコ機の大入賞口装置の台板であって、前記台板本体と、前記一般入賞口又は通過チャッカーとが、別体に形成されたことを特徴とするパチンコ機の大入賞口装置の台板。
【請求項２】
前記台板本体の正面側がほぼ平面形状に形成されたことを特徴とする請求項１に記載のパチンコ機の大入賞口装置の台板。
【請求項３】
請求項１又は請求項２に記載の台板を備えたことを特徴とするパチンコ機の大入賞口装置。
【発明の詳細な説明】
【０００１】
【発明の属する技術分野】
本発明は、パチンコ機の遊技盤に取り付けられる大入賞口装置、及び、遊技盤表側に露呈される大入賞口装置の台板に関するものである。
【０００２】
【従来の技術】
従来、パチンコ機において一定の条件で大当たりとなった場合などに、通常時は閉止されている開閉扉が開放駆動されて多数の遊技球を大入賞口へ導くパチンコ機の大入賞口装置（いわゆるアタッカー式やチューリップ式の比較的大型の打球入賞装置をいう。）が知られている。この種の大入賞口装置には、大入賞口装置本体と、この大入賞口装置本体を遊技盤に取り付けるための台板が備えられている。大入賞口装置本体には、開閉扉奥側に大入賞口が備えられると共に、開閉扉を駆動するソレノイドや、入賞球を検知する検出センサなどが備えられている。台板は、その表側に絵柄や色彩などの装飾が取り付けられるパチンコ機に合わせて施され、また、遊技盤のパチンコ機に合わせた形状に形成されており、このような台板によりパチンコ機の装飾効果が高められている。また、台板には、大入賞口装置本体がねじなどにより固定されると共に、大入賞口装置へ入賞球を導くために開口された開口部が設けられ、台板本体には、遊技盤に台板を固定するためにねじが取り付けられる取付孔が設けられている。
【０００３】
ここで、上記した大入賞口装置には、さらに、一般入賞口や通過チャッカー（以下「一般入賞口等」という）が設けられているものがある。図１０に示すように、このような大入賞口装置８０は、一般入賞口８２が台板本体８４に一体的に形成されていた（特許文献１）。ここで、一般入賞口等は、遊技球の入賞や通過に伴って入賞球の払い出しや図柄変動装置の開始を行うものであるため、遊技者の注目を特に惹く部位である。このため、遊技者に興趣を与えるために、これらの一般入賞口等には台板本体にも増して絵柄や装飾形状を施し装飾効果を高めることが多い。
【０００４】
【特許文献１】
特開２００１−２５９１５０号公報（図３、図４）
【０００５】
【発明が解決しようとする課題】
ところで、パチンコ機を新しい機種に変更する場合には、パチンコ機の外枠や裏機構部分はそのままにして、役物や釘を配置した遊技盤だけを交換することがある。このような場合に、大入賞口装置本体や台板本体はそのままにして、上記したように遊技者の注目を特に惹く一般入賞口等を変更して、新しい機種に対応した装飾を施した一般入賞口等を備えた大入賞口装置として引き続き使用したい場合がある。しかしながら、上記したような台板本体に一般入賞口等が一体的に形成されている大入賞口装置では、一般入賞口等を交換したい場合にも、一般入賞口等が一体的に形成された台板そのものを取り換える必要が生ずることになる。よって、一般入賞口等の変更に伴い台板も交換せざるを得ないために、台板までも不要に交換しなければならない場合が生じ、余分な交換費用が生ずることがあった。また、台板本体及び装置本体は共通とした上で種々の形状・装飾を施した一般入賞口等を備えた大入賞口装置を用意することとすると、一般入賞口等の変更点に合わせた多数の金型を準備するか、又は金型を変更する必要があり、製造コストが嵩んでいた。
【０００６】
また、一般入賞口等には、遊技球が通過する通過口が形成されたり、遊技者側に飾りが形成されるなどのために、台板本体及び一般入賞口等の成型の後に型抜きをする際に支障となっていた。また、一般入賞口等の形状を複雑なものとすることが困難であるため、遊技者に興趣を与えるような装飾的形状とすることが困難であった。また、一般入賞口等が台板本体と一体的に形成されているため、一般入賞口等に詰まったゴミを取り除くなど、台板本体の一般入賞口等のメンテナンス作業が困難であるとの問題も生じていた。さらにまた、上記したように、台板はこれが取り付けられるパチンコ機や遊技盤に合わせた装飾、形状とされているが、台板本体に一般入賞口等を一体的に形成しているため、パチンコ機を交換する際など、台板を廃棄処分とする際に一般入賞口等に用いられている検出センサなどの部品を再利用等するためにこれらの部品を取り外し作業が容易ではなく、近年のパチンコ機のリサイクル率向上の要請を妨げる一要因となっていた。
【０００７】
本発明は上記した従来のパチンコ機の大入賞口装置及び大入賞口装置の台板の問題点を解消するものであり、交換コストや製造コストを低減することのできる台板を提供することにある。また、台板に設けられる一般入賞口や通過チャッカーの装飾効果を高めることも目的とする。さらに、台板に設けられる一般入賞口等のメンテナンスを容易とすることも目的とする。
【０００８】
【課題を解決するための手段】
以上の課題を解決するために、本発明の採った手段を以下に説明する。本発明のパチンコ機の大入賞口装置の台板は、大入賞口装置の装置本体を遊技盤に取り付けるために遊技盤の正面側に露呈されて遊技盤に固定される台板本体と、一般入賞口又は通過チャッカーとを備えたパチンコ機の大入賞口装置の台板であって、前記台板本体と、前記一般入賞口又は通過チャッカーとが、別体に形成されたことを特徴とするものである（請求項１）。
【０００９】
一般入賞口等が台板本体とは別体とされているので、台板本体及び大入賞口装置本体とは別に、装飾効果が特に高い一般入賞口等だけを交換可能として、パチンコ機種の交換時には、台板本体及び装置本体はそのままにして大入賞口装置の装飾を大きく変えることができる。よって、その交換コストを低減させることができる。また、台板本体や装置本体は共通としたまま、別体に形成されて台板本体に取り付けられる一般入賞口等のみについて、その装飾を変更した複数以上の種類を揃えておくことにより、装飾効果の異なる種々の大入賞口装置を製造することができる。よって、一般入賞口等の装飾に応じて種々の台板の金型を用意する必要はなく、台板については共通の金型を利用できるので、その製造コストを低減させることができる。
【００１０】
また、遊技球が入賞する一般入賞口、又は遊技球が通過する通過チャッカーは、少なくとも遊技球が通過できるだけの奥行き・幅を必要とする。よって、大入賞口装置を遊技盤面に取り付るための台板本体にこれらの一般入賞口や通過チャッカーを設けることとすると、一般入賞口や通過チャッカーは、台板本体から前方に突出せざるを得ない。本発明では、台板本体と、一般入賞口又は通過チャッカーとが別体に形成されているので、台板本体から突出せざるを得ない一般入賞口等を別にして台板本体を成型できる。すなわち、型抜きが困難となりやすい一般入賞口等が付属していないので、台板本体の成型時の型抜きなどの作業を容易に行うことができ、台板本体の製造作業を容易とすることができる。また、一般入賞口等を別体としているので、従来の、台板本体と共に一般入賞口を一体成形していた台板とは異なり、一般入賞口を複雑な形状にするなどの装飾を施すことが容易に行える。また、一般入賞口を台板本体から取り外すことが容易なので、一般入賞口内にゴミが詰まった場合のゴミの除去作業などを、台板本体から一般入賞口を取り外して行うことも可能である。また、一般入賞口等にのみ不具合が生じた場合には、台板本体はそのままにして、一般入賞口等だけを交換修理することができる。よって、大入賞口装置のメンテナンス性を向上させることもできる。
【００１１】
また、上記した台板において、台板本体の正面側がほぼ平面形状に形成されたものとすることもできる（請求項２）。
【００１２】
「台板本体の正面側」とは、台板本体の遊技者に向けられる側をいう。このように台板本体を構成することにより、台板本体の型抜きをより一層容易に行うことができる。特に、台板本体の正面側には、「折り返し」される部位が設けられないことが好ましい。
【００１３】
また、上記したいずれかの台板を備えたことを特徴とするパチンコ機の大入賞口装置とすることもできる（請求項３）。
【００１４】
上記したようないずれかの台板をパチンコ機の大入賞口装置に用いることにより、大入賞口装置全体の製造作業を容易化することができ、大入賞口装置のメンテナンス性も向上させることができる。
【００１５】
【発明の実施の形態】
以下、本発明の実施の形態を図を参考にして詳細に説明する。本発明の大入賞口装置１０は、図示しないパチンコ機の遊技盤下端寄りで、アウト口の上方に配設されるものであり、遊技盤に開口された開口部にその台板３０表側を露呈させるとともに、遊技盤裏側に装置本体１８を配置させて遊技盤に取付固定されているものである（図１参照）。
【００１６】
パチンコ機の遊技盤には、この大入賞口装置１０の上方に、特別図柄表示装置が配設されており、この特別図柄表示装置の図柄が特定の表示となった場合に「大当たり」等の「特別利益状態」に移行し、「特別利益状態」となった場合には、大入賞口装置１０正面の開閉扉１６が前方へ回動開放し、開閉扉１６奥の大入賞口２１に所定個数（例えば１０個）の遊技球が入賞するまで、又は所定時間（例えば９．５秒）が経過するまで開閉扉１６の開放状態が継続し、その後一旦開閉扉１６は回動閉止される。この時、大入賞口２１内の継続入賞口（図示省略）内への入賞が発生している場合には、引き続き上記した開閉扉１６の開放動作が継続され（例えば、最大で１５回継続）て「特別利益状態」が終了する。
【００１７】
次いで装置本体１８について詳細に説明する。図２に示すように、装置本体１８は、全体が略方形状に形成されており、その前面には、開閉扉１６に設けられた回動軸が本体２０に軸支され、本体２０に対して所定範囲で回動自在に取り付けられている。これを詳しく説明すると、開閉扉１６は、横長の略矩形状に形成されており、開閉扉１６の長手方向の両端部下端付近には、開閉扉１６を本体４０に軸支するためのピン（図示省略）がそれぞれ突設されている。また、開閉扉１６奥側には、遊技球検出センサを備えた大入賞口２１が設けられている。そして、このピンが挿嵌されて開閉扉１６を回動自在に軸支する固定板２２が、本体４０前面の両側にそれぞれねじ止め固定されている。
【００１８】
また、本体２０両側面には、装置本体１８を台板３０にねじ止めするための取付片２４がそれぞれ突設されている。この取付片２４には、台板３０のねじ孔３５及び嵌合突起３７にそれぞれ対応した位置に、取付用孔２６、嵌合孔２８が配設されている。具体的には、図２に示すように、取付片２４の縦方向中央に、ねじ１が挿通されて台板３０のねじ孔３５にねじ１を螺着するための取付孔２６が設けられている。また、この取付孔２６の上下には、台板３０裏側の嵌合突起３７がそれぞれ嵌合される嵌合孔２８が設けられている。そして、この嵌合突起３７を嵌合孔２８に嵌合させることにより、ねじ孔３５と取付孔２６とを容易に位置合わせすることができ、装置本体１８を台板３０にねじ止めする作業を容易とするように設けられている。
【００１９】
開閉扉１６には、ソレノイド１２のプランジャ（図示省略）が機構部（図示省略）を介して連結されており、プランジャに装着されたコイルバネの復元力により、ソレノイド１２に通電されていない状態ではプランジャは突出状態に保たれ、開閉扉１６は閉止された状態とされて遊技球が入賞されないように設けられている。一方、ソレノイド１２に通電されるとコイルバネの復元力に抗してプランジャが引き込まれ、開閉扉１６は、倒立状態から前方へほぼ水平になるまで回動されるように設けられており、「大当たり」等の「特別利益状態」の際に制御装置から送られる信号に基づき、上記のように開閉扉１６が開放されて大入賞口２１内に遊技球を誘導するように設けられている。
【００２０】
ここで、装置本体１８が取り付けられたパチンコ機が廃棄される際には、パチンコ機から装置本体１８を取り外し、これを再利用することができるのであるが、上記したように、装置本体１８においては、開閉扉１６が本体２０と一体的に組み付けられており、しかも、開閉扉１６は予め本体２０に合わせて形成されているので、本体２０とともに開閉扉１６も再利用することができる。よって、従来は台板側に開閉扉が取り付けられていたために、台板とともに廃棄されていた開閉扉を再利用等有効利用できるので、パチンコ機部品のリサイクル率を向上させることができる。
【００２１】
次いで台板３０について、図３から図９を参照して説明する。台板３０には、それぞれが別体に形成された台板本体３２と一般入賞口装置３４とが備えられている。台板本体３２は、図３に示すように、横長のほぼ平面形状に形成されており、図４に示すように、その中央に開口部３６が開口され、開口部３６の両横側には、一般入賞口装置３４が取り付けられる挿通固定される挿通固定孔３８がそれぞれ形成され、挿通固定孔３８の下方には飾り部４０がそれぞれ設けられている。
【００２２】
台板本体３２の正面側は、図５から図７に示すように、ほぼ平面形状に形成されており、挿通固定孔３８その他の孔以外には、飾りの為の凸部３１が約０．５ｍｍ突出し、飾り部４０が約０．５ｍｍ窪んでいる以外は、ほぼ単一の平滑面に形成されている。このように、台板本体３２は、一般入賞口装置３４とは別体に形成されており、また、その正面側はほぼ平面形状に形成されているので、台板本体３２の成型時の型抜きなどの作業を容易に行うことができ、台板本体３２の製造作業を容易とすることができる。また、一般入賞口装置３４を別体としているので、従来の、台板本体と共に一般入賞口装置を一体成形していた台板とは異なり、一般入賞口装置３４を複雑な形状にして装飾を施すことなどを容易に行うことができる。また、一般入賞口装置３４を台板本体３２から取り外すことが容易なので、一般入賞口装置３４内にゴミが詰まった場合のゴミの除去作業などを一般入賞口装置３４を台板本体３２から取り外して行うことも可能である。また、一般入賞口装置３４にのみ不具合が生じた場合には、台板本体３２はそのままにして、一般入賞口装置３４だけを交換修理することができる。よって、大入賞口装置１０のメンテナンス性を向上させることもできる。
【００２３】
また、挿通固定孔３８の周縁には、一般入賞口装置３４を台板本体３２にねじ止めするための取付孔３９が設けられている。台板本体３２の全体形状は、これが取り付けられるパチンコ機の遊技盤に合わせて形成されており、遊技盤の装飾に合わせた装飾が施され、大入賞口装置１０が取り付けられる周辺の役物や釘との関係や、視覚効果を狙って形状が定められている。
【００２４】
開口部３６は、装置本体１８の開閉扉１６よりも僅かに大きく形成されて、台板３０に取り付けられる装置本体１８の開閉扉１６が臨まれるものであり、上記したように回動動作を行う開閉扉１６は、この開口部３６を通して台板３０正面側に変位される。飾り部４０は、台板本体３２の正面側にやや窪んだ形状に形成されており、ここに飾りシールなどを貼付して、遊技者に視覚効果を与えることとしている。なお、飾りシールの代わりに直接装飾を施すなどとしても良い。
【００２５】
図３及び図８に示すように、挿通固定孔３８には、一般入賞口装置３４が挿通固定される。挿通固定孔３８の形状は、これに取り付けられる一般入賞口装置３４の外形と略合致する形状に形成されている。一般入賞口装置３４には、本体４２と、本体４２内に内蔵され、入賞した遊技球を検出する検出センサ４４と、本体４２正面側に取り付けられる飾板４６とが備えられている。
【００２６】
図８に示すように、本体４２には、その前方側に、遊技球が入賞される入賞口４３が開口形成されている。また、この入賞口４３の下方には、検出センサ４４を収容固定する収容凹部４８が形成されている。また、収容凹部４８の後方には、弾性突設片５２が本体４２の左右両側に本体４２後方に向けて突設されている。これらの両弾性突設片５２本体の間隔は検出センサ４４の幅よりも僅かに大きく形成されており、図１、図３及び図８に示すように、これら両弾性突設片５２間と上記した収容凹部４８とに検出センサ４４が収容される。また、弾性突設片５２の一方には、内側に向けて突設された係止突起５０が形成されており、この係止突起５０先端と他方の弾性突設片５２との間隔は検出センサ４４の幅よりも僅かに小さく形成されている。よって図８に示すように、弾性突設片５２の後方から、弾性突設片５２を拡開しつつ検出センサ４４をスライド挿入して本体４２内に検出センサ４４を収容すると、検出センサ４４の後方端部４５を乗り越えた係止突起５０が、後方端部４５に係止されて本体４２からの検出センサ４４の脱落が防止される。
【００２７】
本体４２の収容凹部４８の下方には、収容凹部４８に通じる球通路５４が形成されている。球通路５４は、本体４２後方に向けて、一般入賞口装置３４に入賞した遊技球を排出するものであり、収容凹部４８に収容された検出センサ４４を通過した遊技球が、この球通路５４を通って、遊技盤裏側に配設された球排出通路（図示省略）に排出される。
【００２８】
また、飾板４６は、本体４２の正面側に設けられたねじ孔５６に、ねじ１により固定されるものであり、本体４２が剥き出しとならないように被覆すると共に、飾板４６に施された装飾・形状により美観を向上させ、遊技者への興趣を高めるものである。
【００２９】
このように構成された一般入賞口３４を台板３０の挿通固定孔３８に固定するには、本体４２の正面側から飾板４６を本体４２正面側のねじ孔５９にねじ止めし、次いで本体４２を挿通固定孔３８に挿通する。次いで、図８に示すように、本体４２の入賞口４３下部裏側に設けられたねじ孔６０に台板本体３２の裏側から取付孔３９を通してねじ止めし、本体４２を台板本体３２に固定する。そして、本体４２後方側から弾性突設片５２を拡開させながら検出センサ４４を収容凹部４８奥側まで押し込み、係止突起５０により検出センサ４４の後方端部４５を係止させることにより検出センサ４４が本体４２に取付固定される。なお、飾板４６は、本体４２を台板本体３２にねじ止めした後に本体４２にねじ止めしても良いし、また、あらかじめ検出センサ４４を本体４２に取付固定した後に本体４２を台板本体３２にねじ止めすることとしても良い。
【００３０】
次いで、一般入賞口３４が固定された台板３０を装置本体１８にねじ止めする。図８及び図９に示すように、台板３０の裏面側には、開口部３６を囲むようにして台板３０裏面方向に立設された取付口３３が形成されている。取付口３３は、ほぼ長方形状に形成され、その内側に、装置本体１８の取付片２４よりも前側の部位を挿入及び嵌合可能な形状に形成されており、装置本体１８をその内部に確実に固定保持可能に設けられ、台板３０への装置本体１８の固定を確実に行えるようにされている。また、取付口３３の端面の両側には、装置本体１８を取付口３３内部に挿入・嵌合した際に装置本体１８の取付片２４に設けられた取付用孔２６に対応する位置に、ねじ孔３５が形成されており、取付用孔２６に挿通されたねじ１をこのねじ孔３５にねじ込んで台板３０と装置本体１８とが固定される。また、このねじ孔３５の上下には、装置本体１８を取付口３３内部に挿入・嵌合した際に装置本体１８の取付片２４に設けられた嵌合孔２８に対応する位置に、嵌合突起３７がそれぞれ形成されており、台板３０に対し装置本体１８を確実に位置決めするとともに、ねじ止め後の台板３０に対する装置本体１８の固定を補強するように設けられている。上記したように、このように設けられた台板３０の取付口３３に装置本体１８の前部を挿入・嵌合し、取付片２４を取付口３３にねじ止めして、台板３０と装置本体１８とが固定される。
【００３１】
本実施の形態では、上記のように構成したがこれに限られることなく本発明の趣旨の範囲内で種々の変更が可能である。例えば、一般入賞口装置３４に限られず、通過チャッカーを備えた大入賞口装置の台板としても良いし、その数も上記実施例のように２つに限られない。また一般入賞口装置３４の台板本体３２への取付手段についても、挿通固定孔３８を形成してこれに一般入賞口装置を挿通固定することに限らず、台板本体３２に係合固定させるなど種々の態様を適用できる。
【００３２】
【発明の効果】
本発明のパチンコ機の大入賞口装置の台板は、上記のように、台板本体と、一般入賞口又は通過チャッカーとが、別体に形成されている（請求項１）ので、台板本体は共通にしたまま、一般入賞口等のみを別に取り換えることができるので、その交換コスト、製造コストを低減させることができる。また、台板本体の成型時の型抜きなどの作業を容易に行うことができ、台板本体の製造作業を容易とすることができる。また、一般入賞口等を別体としているので、一般入賞口を複雑な形状にするなどの装飾を施すことが容易に行える。また、一般入賞口を台板本体から取り外すことが容易なので、一般入賞口内にゴミが詰まった場合のゴミの除去作業などを、台板本体から一般入賞口を取り外して行うことも可能であり、台板本体はそのままにして、一般入賞口等だけを交換修理することもできるので、大入賞口装置のメンテナンス性を向上させることもできる。
【００３３】
また、台板本体の正面側がほぼ平面形状に形成されることとする（請求項２）ことにより、台板本体の型抜きをより一層容易にすることができ製造コストを低減させることができる。さらに、これらの台板を備えた大入賞口装置とすること（請求項３）により、大入賞口装置全体の製造コストの低減や、メンテナンス性も向上させることができる。
【図面の簡単な説明】
【図１】大入賞口装置の斜視図である。
【図２】大入賞口装置の装置本体の斜視図である。
【図３】大入賞口装置の分解斜視図である。
【図４】大入賞口装置の台板本体の正面図である。
【図５】大入賞口装置の台板本体の斜視図正面図である。
【図６】大入賞口装置の台板本体の平面図である。
【図７】図４の大入賞口装置の台板本体のＤ−Ｄ線断面図である。
【図８】大入賞口装置の台板の背面側一部分解斜視図である。
【図９】大入賞口装置の台板の背面図である。
【図１０】従来の大入賞口装置の斜視図である。
【符号の説明】
１；ねじ、１０；大入賞口装置、１２；ソレノイド、１６；開閉扉、１８；装置本体、２０；本体、２１；大入賞口、２２；固定板、２４；取付片、２６；取付用孔、２８；嵌合孔、３０；台板、３１；凸部、３２；台板本体、３３；取付口、３４；一般入賞口装置、３５；ねじ孔、３６；開口部、３７；嵌合突起、３８；挿通固定孔、３９；取付孔、４０；飾り部、４２；本体、４３；入賞口、４４；検出センサ、４５；後方端部、４６；飾板、４８；収容凹部、５０；係止突起、５２；弾性突設片、５４；球通路、５９；ねじ孔、６０；ねじ孔。
【図１】
2004173811.tif 000003
【図２】
2004173811.tif 000004
【図３】
2004173811.tif 000005
【図４】
2004173811.tif 000006
【図５】
2004173811.tif 000007
【図６】
2004173811.tif 000008
【図７】
2004173811.tif 000009
【図８】
2004173811.tif 000010
【図９】
2004173811.tif 000011
【図１０】
2004173811.tif 000012